(57)【要約】      （修正有）【課題】  多数の丸鋸刃を収納しても、それら丸鋸刃が収納部内で移動することなく、収納部の側部や底部を破損してしまうことがなく、しかもそれら丸鋸刃の収納部からの取り出しを安全に行えるようにした丸鋸刃収納ケースを提供する。【解決手段】  保持板３の表裏のいずれか一面側に丸鋸刃Ｓを保持するための保持手段４を設けた丸鋸刃保持体５を、表裏が対向するように複数枚重ね合わせて、収納ケース１に収納したものとしている。さらに、保持板３の表裏の両面側に丸鋸刃Ｓを保持するための保持手段４を設けた丸鋸刃保持体５を、複数枚重ね合わせると共に、これら重ね合わせた丸鋸刃保持体５の間に保護シート６を挟み込んで、収納ケース１に収納したものとしている。【選択図】    図２
2006297791.tif 000002
【特許請求の範囲】
【請求項１】
保持板（３）の表裏のいずれか一面側に丸鋸刃（Ｓ）を保持するための保持手段（４）を設けた丸鋸刃保持体（５）を、表裏が対向するように複数枚重ね合わせて、収納ケース（１）に収納したことを特徴とする丸鋸刃収納ケース。
【請求項２】
保持板（３）の表裏の両面側に丸鋸刃（Ｓ）を保持するための保持手段（４）を設けた丸鋸刃保持体（５）を、複数枚重ね合わせると共に、これら重ね合わせた丸鋸刃保持体（５）の間に保護シート（６）を挟み込んで、収納ケース（１）に収納したことを特徴とする丸鋸刃収納ケース。
【請求項３】
前記保持手段（４）を、丸鋸刃（Ｓ）の中心孔（Ｃ）を保持する第一ボタン（７ａ）と第一ホック（８ａ）からなるものとし、第一ボタン（７ａ）の嵌着部（９ａ）と嵌脱自在とした第一ホック（８ａ）の嵌着部（１０ａ）を保持板（３）の略中央部の表裏のいずれか一面側に突設したものとしたことを特徴とする請求項１記載の丸鋸刃収納ケース。
【請求項４】
前記保持手段（４）を、丸鋸刃（Ｓ）の中心孔（Ｃ）を保持する第一ボタン（７ａ）と第一ホック（８ａ）、および丸鋸刃（Ｓ）の中心孔（Ｃ）を保持する第二ボタン（７ｂ）と第二ホック（８ｂ）からなるものとし、第一ボタン（７ａ）の嵌着部（９ａ）と嵌脱自在とした第一ホック（８ａ）の嵌着部（１０ａ）を保持板（３）の略中央部の表面側に突設したものとし、第二ボタン（７ｂ）の嵌着部（９ｂ）と嵌脱自在とした第二ホック（８ｂ）の嵌着部（１０ｂ）を保持板（３）の略中央部の裏面側に突設したものとしたことを特徴とする請求項２記載の丸鋸刃収納ケース。
【請求項５】
前記第一ボタン（７ａ）を、前記保持板（３）に掛け渡したバンド（Ｂ）に設けたものとしたことを特徴とする請求項３記載の丸鋸刃収納ケース。
【請求項６】
前記第一ボタン（７ａ）および第二ボタン（７ｂ）を、前記保持板（３）に掛け渡したバンド（Ｂ）に設けたものとしたことを特徴とする請求項４記載の丸鋸刃収納ケース。
【請求項７】
前記丸鋸刃保持体（５）を、収納ケース（１）に着脱自在として収納したものとしたことを特徴とする請求項１記載の丸鋸刃収納ケース。
【請求項８】
前記丸鋸刃保持体（５）および保護シート（６）を、収納ケース（１）に着脱自在として収納したものとしたことを特徴とする請求項２記載の丸鋸刃収納ケース。
【発明の詳細な説明】
【技術分野】
【０００１】
この発明は、電動工具や空気工具に取り付けて使用される丸鋸刃を収納して、保管しておいたり、持ち運ぶために用いられる丸鋸刃収納ケースに関するものである。
【背景技術】
【０００２】
従来、この種の丸鋸刃収納ケースとしては、例えば図１１、１２に示したように、厚手の布地からなる蛇腹状マチ部２１に平行に取り付けた仕切板２２にて区画した多数の並列状収納部２３に、丸鋸刃（図示せず）を種別に分別収納するようにしたものが存在する（特許文献１）。
【０００３】
上述のように構成された丸鋸刃収納ケースは、丸鋸刃を種別に分別収納することにより、丸鋸刃が破損したり、丸鋸刃により怪我をするなどの危険の虞れがなく、多数の丸鋸刃を収納して、保管しておいたり、持ち運ぶことができるものとしている。
【０００４】
さらに、この種の丸鋸刃収納ケースとしては、例えば図１３、１４に示したように、厚手の布地からなる蛇腹状マチ部３１に平行に取り付けた仕切板３２にて区画した多数の並列状収納部３３に、丸鋸刃（図示せず）を種別に分別収納するようにしており、それぞれの仕切板３２の中央上部には切込み部３４を設け、さらに底部に硬質樹脂板（図示せず）を敷いたものが存在する（特許文献２）。
【０００５】
上述のように構成された丸鋸刃収納ケースは、丸鋸刃を種別に分別収納することにより、丸鋸刃が破損したり、丸鋸刃により怪我をするなどの危険の虞れがなく、多数の丸鋸刃を収納して、保管しておいたり、持ち運ぶことができるものとしている。さらに、この丸鋸刃収納ケースは、それぞれの仕切板３２の中央上部に切込み部３４を設けることにより、収納部３３に収納した丸鋸刃を効率良く取り出せるようにしており、また底部に硬質樹脂板を敷くことにより、丸鋸刃でケースの底部が破れないものとしている。
【特許文献１】意匠登録第１２１４５０２号公報（斜視図、参考図）
【特許文献２】意匠登録第１２２１９５９号公報（斜視図、側面図）
【発明の開示】
【発明が解決しようとする課題】
【０００６】
しかしながら、図１１、１２に示した上記従来の丸鋸刃収納ケースでは、収納部を仕切板２２にて区画した多数の並列状収納部２３としているが、それぞれの収納部２３の側部や底部は補強がされておらず、またそれぞれの収納部２３には只単に丸鋸刃を収納するようにしているので、保管中や持ち運ぶときに、丸鋸刃が収納部２３内で移動することがあり、その丸鋸刃の鋭い刃先で収納部２３の側部や底部を破損してしまう虞れがあるという問題点を有していた。
【０００７】
さらに、図１３、１４に示した上記従来の丸鋸刃収納ケースでは、収納部を仕切板３２にて区画した多数の並列状収納部３３としており、それぞれの収納部３３の底部は硬質樹脂板により補強がされているが、それら収納部３３の側部は補強がされておらず、またそれぞれの収納部３３には只単に丸鋸刃を収納するようにしているので、保管中や持ち運ぶときに、丸鋸刃が収納部３３内で移動することがあり、その丸鋸刃の鋭い刃先で収納部３３の側部を破損してしまう虞れがあるという問題点を有していた。
【０００８】
そこで、この発明は、上記従来の問題点を解決することをその課題としており、多数の丸鋸刃を収納しても、それら丸鋸刃が収納部内で移動することなく、収納部の側部や底部を破損してしまうことがなく、しかもそれら丸鋸刃の収納部からの取り出しを安全に行えるようにした丸鋸刃収納ケースを提供することを目的としてなされたものである。
【課題を解決するための手段】
【０００９】
そのため、この発明の丸鋸刃収納ケースは、保持板３の表裏のいずれか一面側に丸鋸刃Ｓを保持するための保持手段４を設けた丸鋸刃保持体５を、表裏が対向するように複数枚重ね合わせて、収納ケース１に収納したものとしている。
【００１０】
さらに、この発明の丸鋸刃収納ケースは、保持板３の表裏の両面側に丸鋸刃Ｓを保持するための保持手段４を設けた丸鋸刃保持体５を、複数枚重ね合わせると共に、これら重ね合わせた丸鋸刃保持体５の間に保護シート６を挟み込んで、収納ケース１に収納したものとしている。
【００１１】
そして、この発明の丸鋸刃収納ケースでは、前記保持手段４を、丸鋸刃Ｓの中心孔Ｃを保持する第一ボタン７ａと第一ホック８ａからなるものとし、第一ボタン７ａの嵌着部９ａと嵌脱自在とした第一ホック８ａの嵌着部１０ａを保持板３の略中央部の表裏のいずれか一面側に突設したものとしている。
【００１２】
さらに、この発明の丸鋸刃収納ケースでは、前記保持手段４を、丸鋸刃Ｓの中心孔Ｃを保持する第一ボタン７ａと第一ホック８ａ、および丸鋸刃Ｓの中心孔Ｃを保持する第二ボタン７ｂと第二ホック８ｂからなるものとし、第一ボタン７ａの嵌着部９ａと嵌脱自在とした第一ホック８ａの嵌着部１０ａを保持板３の略中央部の表面側に突設したものとし、第二ボタン７ｂの嵌着部９ｂと嵌脱自在とした第二ホック８ｂの嵌着部１０ｂを保持板３の略中央部の裏面側に突設したものとしている。
【００１３】
また、この発明の丸鋸刃収納ケースでは、前記第一ボタン７ａおよび第二ボタン７ｂを、前記保持板３に掛け渡したバンドＢに設けたものとしている。
【００１４】
さらに、この発明の丸鋸刃収納ケースでは、前記丸鋸刃保持体５および保護シート６を、収納ケース１に着脱自在として収納したものとしている。
【発明の効果】
【００１５】
この発明の丸鋸刃収納ケースは、以上に述べたように構成されているので、多数の丸鋸刃を収納しても、それら丸鋸刃が収納部内で移動することなく、収納部の側部や底部を破損してしまうことがなく、しかもそれら丸鋸刃の収納部からの取り出しが安全に行えるものとなる。
【発明を実施するための最良の形態】
【００１６】
以下、この発明の丸鋸刃収納ケースを実施するための最良の形態を、図面に基づいて詳細に説明する。
【００１７】
この発明の丸鋸刃収納ケースは、図１に示したように、厚手の布地からなる表裏部材１ａ、１ｂを襠部材１ｃで連結することにより、内部に収納部を設けた収納ケース１としている。そして、前記襠部材１ｃには、スライドファスナーＦを設け、上方または下方、および両側方の三方を開閉自在としており、上方または下方に提手Ｈを設けたものとしている。さらに、前記表裏部材１ａ、１ｂのそれぞれの内側には、必要に応じて、内部保護用の保護板２を設けたものとしている。
【００１８】
前記収納ケース１の収納部には、図２〜４に示したように、略四角形状の保持板３に、丸鋸刃Ｓを保持するための保持手段４を設けた丸鋸刃保持体５を、複数枚重ね合わせ、これら複数枚重ね合わせた丸鋸刃保持体５の間にそれぞれ略四角形状の保護シート６を挟み込んで、収納したものとしている。前記保持手段４は、図５、６に示したように、丸鋸刃Ｓの中心孔Ｃを保持する第一ボタン７ａと第一ホック８ａ、および丸鋸刃Ｓの中心孔Ｃを保持する第二ボタン７ｂと第二ホック８ｂからなり、第一ボタン７ａの嵌着部９ａと嵌脱自在とした第一ホック８ａの嵌着部１０ａを保持板３の略中央部の表面側に突設したものとし、第二ボタン７ｂの嵌着部９ｂと嵌脱自在とした第二ホック８ｂの嵌着部１０ｂを保持板３の略中央部の裏面側に突設したものとしている。前記保護シート６は、丸鋸刃保持体５に保持する丸鋸刃Ｓどうしが、接触して擦れ合わないようにするものであり、厚手の布地や合成樹脂シートなどからなるものとすることができる。
【００１９】
前記保護板２および保持板３は、合成樹脂板とするのが加工性やコスト面などで好ましいが、丸鋸刃Ｓの刃先との接触によって容易に損傷しないものであれば、金属板、木板、布板、紙板などであってもよく、その周囲から丸鋸刃Ｓの刃先が食み出すことのない程度の充分な大きさとしている。
【００２０】
また、前記丸鋸刃保持体５は、前記したように、保持板３の表裏の両面側に丸鋸刃Ｓを保持するための保持手段４を設けたものとしてもよいが、丸鋸刃Ｓの中心孔Ｃを保持する第一ボタン７ａと第一ホック８ａからなり、第一ボタン７ａの嵌着部９ａと嵌脱自在とした第一ホック８ａの嵌着部１０ａを保持板３の略中央部の表裏のいずれか一面側に突設したものとし、保持板３の表裏のいずれか一面側に丸鋸刃Ｓを保持することができるようにしてもよい。この場合、前記丸鋸刃保持体５は、保持板３の表裏が対向するように複数枚重ね合わせて、前記収納ケース１の収納部に収納したものとすればよい。なお、このようにした場合は、前記保護シート６を丸鋸刃保持体５の間に挟み込まなくても、丸鋸刃保持体５に保持する丸鋸刃Ｓどうしの間に保持板３が位置することになるので、丸鋸刃Ｓはその保持板３に接触することになり、丸鋸刃Ｓどうしが、接触して擦れ合うようなことはない。
【００２１】
前記第一ボタン７ａおよび第二ボタン７ｂは、丸鋸刃Ｓの中心孔Ｃを保持するように、この中心孔Ｃより大径に形成した保持部１１を有したものとしているが、図示したように、これら第一ボタン７ａおよび第二ボタン７ｂを、前記保持板３に対角状に掛け渡したバンドＢの略中央部に設けたものとした場合には、前記バンドＢが保持部１１としての役割を果たすものとなる。なお、前記バンドＢは、前記保持板３の中央縦方向や中央横方向に掛け渡したものとしてもよい。前記保持部１１をバンドＢとした場合は、このバンドＢは、丸鋸刃Ｓを中心孔Ｃから直径方向に帯状に保持するものとなるので、この丸鋸刃Ｓを安定した状態で保持するものとなる。
【００２２】
また、前記第一ボタン７ａおよび第二ボタン７ｂは、図示したものでは、第一ホック８ａおよび第二ホック８ｂとそれぞれ嵌着式のものとして両者を着脱自在としているが、前記第一ボタン７ａおよび第二ボタン７ｂ、または第一ホック８ａおよび第二ホック８ｂの一方を磁石とし、他方を磁石に引き付けられる金属としたマグネット式のものとして両者を着脱自在としてもよい。
【００２３】
さらに、前記保持手段４は、図７〜１０に示したように、保持板３の略中央部の表裏の両面側、またはいずれか一面側に設けた、丸鋸刃Ｓの中心孔Ｃを保持する保持突起１２としてもよい。この保持突起１２は、図７に示したように、丸鋸刃Ｓの中心孔Ｃを保持する傾斜面を有した弾性合成樹脂よりなる略円錐体にしたり、図８、９に示したように、その略円錐体の傾斜面に丸鋸刃Ｓの中心孔Ｃを保持する保持溝１３や保持リブ１４を形成したものとすることができる。さらに、前記保持突起１２は、図１０に示したように、丸鋸刃Ｓの中心孔Ｃが頭部１５に接触すると内方に収縮して差し込まれ、その後元に戻ってその丸鋸刃Ｓの中心孔Ｃを保持するようにした弾性突起板などとしてもよい。
【００２４】
また、前記丸鋸刃保持体５および保護シート６は、収納ケース１に着脱自在として収納されている。すなわち、前記収納ケース１には、表裏部材１ａ、１ｂの一角部に孔開きリベット１６を打ち付けたものとしており、前記丸鋸刃保持体５には、それぞれの一角部に孔開きリベット１７を打ち付けたものとしている。さらに、前記保護シート６には、それぞれの一角部に孔開きリベット１８を打ち付けたものとしている。そして、前記収納ケース１の孔開きリベット１６のリベット孔１６ａから、前記丸鋸刃保持体５のそれぞれの孔開きリベット１７のリベット孔１７ａに、さらに前記保護シート６のそれぞれの孔開きリベット１８のリベット孔１８ａに、線材Ｌを通して、複数枚重ね合わせた丸鋸刃保持体５を収納ケース１の収納部内に束ねたものとしている。したがって、前記丸鋸刃保持体５および保護シート６は、それぞれ孔開きリベット１７、１８のリベット孔１７ａ、１８ａから線材Ｌを外さない限り、それぞれが束ねられたものとなっており、ばらばらになることはない。また、前記丸鋸刃保持体５および保護シート６は、それぞれ孔開きリベット１７、１８のリベット孔１７ａ、１８ａから線材Ｌを外せば、それぞれをばらばらにして収納ケース１から取り出すことができる。
【００２５】
以上のように構成したこの発明の丸鋸刃収納ケースを使用するには、次のようにして行う。
【００２６】
先ず、収納ケース１のスライドファスナーＦを開け、線材Ｌを外して丸鋸刃保持体５を収納ケース１から取り出して手に持つか、または線材Ｌを外すことなく丸鋸刃保持体５を収納ケース１内で手に持って、その保持手段４に丸鋸刃Ｓを保持させる。すなわち、それぞれの丸鋸刃保持体５の保持板３の表裏のいずれか一面側の第一ホック８ａ、または表裏の両面側の第一ホック８ａおよび第二ホック８ｂに、丸鋸刃Ｓの中心孔Ｃが位置するようにして、それぞれの保持板３に丸鋸刃Ｓを載せる。さらに、前記第一ホック８ａには第一ボタン７ａを、第二ホック８ｂには第二ボタン７ｂをそれぞれ嵌着する。すると、前記保持板３に載せた丸鋸刃Ｓは、保持手段４であるこれら第一ボタン７ａと第一ホック８ａ、第二ボタン７ｂと第二ホック８ｂに保持される。そして、第一ボタン７ａおよび第二ボタン７ｂがバンドＢに保持されている場合は、このバンドＢが丸鋸刃Ｓを中心孔Ｃから直径方向に帯状に保持するものとなるので、丸鋸刃Ｓは丸鋸刃保持体５に安定した状態で保持されることになる。なお、保持手段４が保持突起１２である場合には、略円錐体の傾斜面や頭部１５に丸鋸刃Ｓの中心孔Ｃを押し付けて、この傾斜面に保持させたり、その傾斜面に形成した保持溝１３や保持リブ１４に保持させたり、弾性突起板に保持させればよい。
【００２７】
そして、丸鋸刃Ｓを保持した丸鋸刃保持体５を収納ケース１内に戻し、これら丸鋸刃保持体５を収納ケース１内で重ね合わせ、線材Ｌを外した場合は、もう一度この線材Ｌで重ね合わせた丸鋸刃保持体５を束ね、スライドファスナーＦを閉じた状態にし、その状態で保管しておいたり、持ち運んだりすればよい。
【００２８】
この発明の丸鋸刃収納ケースは、このような状態で保管しておいたり、持ち運んだりしても、丸鋸刃Ｓは丸鋸刃保持体５に安定した状態で保持されているので、丸鋸刃Ｓが収納ケース１内で移動することがなく、その丸鋸刃Ｓの鋭い刃先が収納ケース１の側部や底部に当たることはなく、それらを破損してしまうことはない。
【００２９】
また、この発明の丸鋸刃収納ケースでは、保持板３の表裏のいずれか一面側に丸鋸刃Ｓを保持した場合は、それぞれの丸鋸刃Ｓどうしがその保持板３によって、保持板３の表裏の両面側に丸鋸刃Ｓを保持した場合は、それぞれの丸鋸刃Ｓどうしが保護シート６によって、擦れ合わないようにしているので、互いに傷付くことはないものとなっている。
【００３０】
次に、この発明の丸鋸刃収納ケースから丸鋸刃を取り出すには、収納ケース１のスライドファスナーＦを開け、線材Ｌを外して丸鋸刃保持体５を収納ケース１から取り出して手に持つか、または線材Ｌを外すことなく丸鋸刃保持体５を収納ケース１内で手に持ち、保持手段４に保持された丸鋸刃Ｓを外せばよい。この場合、収納ケース１の収納部から丸鋸刃Ｓを直接手に持って取り出すのではなく、丸鋸刃保持体５を手に持ってから、この丸鋸刃保持体５から丸鋸刃Ｓを外すようにしているので、丸鋸刃Ｓの取り出しは安全に行える。従来の丸鋸刃収納ケースのように、収納ケース１の収納部から丸鋸刃Ｓを直接手に持って取り出す場合には、丸鋸刃Ｓの刃先に不用意に手が触れてしまうことがあり、怪我をすることがある。
【図面の簡単な説明】
【００３１】
【図１】この発明の丸鋸刃収納ケースの一実施形態を示す斜視図である。
【図２】この発明の丸鋸刃収納ケースに丸鋸刃を収納した状態の一部分解斜視図である。
【図３】この発明の丸鋸刃収納ケースの分解斜視図である。
【図４】図１中のＡ−Ａ線によるこの発明の丸鋸刃収納ケースの断面図である。
【図５】この発明の丸鋸刃収納ケースの丸鋸刃保持体の一例を示す部分斜視図である。
【図６】図２中のＢ−Ｂ線によるこの発明の丸鋸刃収納ケースの丸鋸刃保持体の断面図である。
【図７】この発明の丸鋸刃収納ケースの丸鋸刃保持体の他の例を示す部分斜視図である。
【図８】この発明の丸鋸刃収納ケースの丸鋸刃保持体のさらに他の例を示す部分斜視図である。
【図９】この発明の丸鋸刃収納ケースの丸鋸刃保持体のさらに他の例を示す部分斜視図である。
【図１０】この発明の丸鋸刃収納ケースの丸鋸刃保持体のさらに他の例を示す部分斜視図である。
【図１１】従来の丸鋸刃収納ケースの一例を示す側面図である。
【図１２】図１１に示す従来の丸鋸刃収納ケースの斜視図である。
【図１３】従来の丸鋸刃収納ケースの他の例を示す側面図である。
【図１４】図１３に示す従来の丸鋸刃収納ケースの斜視図である。
【符号の説明】
【００３２】
１  収納ケース
３  保持板
４  保持手段
５  丸鋸刃保持体
６  保護シート
７ａ  第一ボタン
７ｂ  第二ボタン
８ａ  第一ホック
８ｂ  第二ホック
９ａ  嵌着部
９ｂ  嵌着部
１０ａ  嵌着部
１０ｂ  嵌着部
Ｓ  丸鋸刃
Ｃ  中心孔
Ｂ  バンド
【図１】
2006297791.tif 000003
【図２】
2006297791.tif 000004
【図３】
2006297791.tif 000005
【図４】
2006297791.tif 000006
【図５】
2006297791.tif 000007
【図６】
2006297791.tif 000008
【図７】
2006297791.tif 000009
【図８】
2006297791.tif 000010
【図９】
2006297791.tif 000011
【図１０】
2006297791.tif 000012
【図１１】
2006297791.tif 000013
【図１２】
2006297791.tif 000014
【図１３】
2006297791.tif 000015
【図１４】
2006297791.tif 000016